(57)【要約】【課題】適切なタイミングで「ｅＩＣＩＣ」を開始する。【解決手段】本発明に係る移動通信方法は、移動局ＵＥが、通信中のセル＃１を管理する無線基地局ｅＮＢ＃１に対して、周辺セル＃２〜＃４の下りリンクにおける無線品質の測定結果を含む「Ｍｅａｓｕｒｅｍｅｎｔ  Ｒｅｐｏｒｔ」を送信する工程Ａと、無線基地局ｅＮＢ＃１が、「Ｍｅａｓｕｒｅｍｅｎｔ  Ｒｅｐｏｒｔ」に基づいて、周辺セル＃２〜＃４の中からセル＃２を選択する工程Ｂと、無線基地局ｅＮＢ＃１が、セル＃２を管理する無線基地局ｅＮＢ＃２に対して、移動局ＵＥに対する下り方向の干渉の影響が強い旨を示す「ＤＬ  ＨＩ  Ｉｎｄｉｃａｔｉｏｎ」を送信する工程Ｃとを有することを要旨とする。【選択図】図３
2012105176.tif 000002
【特許請求の範囲】
【請求項１】
移動局が、通信中の第１セルを管理する第１無線基地局に対して、周辺セルの下りリンクにおける無線品質の測定結果を含む測定報告を送信する工程Ａと、
前記第１無線基地局が、前記測定報告に基づいて、前記周辺セルの中から第２セルを選択する工程Ｂと、
前記第１無線基地局が、前記第２セルを管理する第２無線基地局に対して、前記移動局に対する下り方向の干渉の影響が強い旨を示す干渉指示情報を送信する工程Ｃとを有することを特徴とする移動通信方法。
【請求項２】
前記第２無線基地局が、前記干渉指示情報に応じて、前記第１無線基地局に対して、下りデータを送信しないサブフレームを示すサブフレーム情報を送信する工程を更に有することを特徴とする請求項１に記載の移動通信方法。
【請求項３】
前記工程Ｃにおいて、前記第１無線基地局は、負荷情報によって、前記干渉指示情報を送信することを特徴とする請求項１又は２に記載の移動通信方法。
【請求項４】
前記工程Ｃにおいて、前記第１無線基地局は、該第１無線基地局の構成の更新情報によって、前記干渉指示情報を送信することを特徴とする請求項１又は２に記載の移動通信方法。
【請求項５】
前記工程Ｃにおいて、前記第１無線基地局は、該第１無線基地局と前記第２無線基地局との間のコネクションの設定に係る情報によって、前記干渉指示情報を送信することを特徴とする請求項１又は２に記載の移動通信方法。
【請求項６】
移動局が通信中のセルを管理する無線基地局であって、
前記移動局から、周辺セルの下りリンクにおける無線品質の測定結果を含む測定報告を受信するように構成されている測定報告受信部と、
前記測定報告に基づいて、前記周辺セルの中から特定セルを選択するように構成されている選択部と、
前記特定セルを管理する特定無線基地局に対して、前記移動局に対する下り方向の干渉の影響が強い旨を示す干渉指示情報を送信するように構成されている干渉指示情報送信部を具備することを特徴とする無線基地局。
【請求項７】
前記特定無線基地局から、下りデータを送信しないサブフレームを示すサブフレーム情報を受信した場合、該サブフレーム情報に基づいて、前記移動局に対する下りリンクにおけるスケジューリングを行うように構成されているスケジューリング部を更に具備することを特徴とする請求項６に記載の無線基地局。
【請求項８】
前記干渉指示情報送信部は、負荷情報によって、前記干渉指示情報を送信するように構成されていることを特徴とする請求項６又は７に記載の無線基地局。
【請求項９】
前記干渉指示情報送信部は、前記無線基地局の構成の更新情報によって、前記干渉指示情報を送信するように構成されていることを特徴とする請求項６又は７に記載の無線基地局。
【請求項１０】
前記干渉指示情報送信部は、前記無線基地局と前記特定無線基地局との間のコネクションの設定に係る情報によって、前記干渉指示情報を送信するように構成されていることを特徴とする請求項６又は７に記載の無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式において、セル間の干渉を低減するために、「ｅＩＣＩＣ（Ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ）」を用いることが検討されている。
【先行技術文献】
【非特許文献】
【０００３】
【非特許文献１】３ＧＰＰ寄書  Ｒ１-１０５７７９
【非特許文献２】３ＧＰＰ  ＴＳ３６.４２３
【非特許文献３】３ＧＰＰ  ＴＳ３６.３００
【非特許文献４】３ＧＰＰ  ＴＳ３６.２１１
【発明の概要】
【発明が解決しようとする課題】
【０００４】
しかしながら、従来のＬＴＥ方式では、どのようなタイミングで「ｅＩＣＩＣ」を開始すべきかについて規定されていないため、適切なタイミングで「ｅＩＣＩＣ」を開始することができないという問題点があった。
【０００５】
そこで、本発明は、上述の課題に鑑みてなされたものであり、適切なタイミングで「ｅＩＣＩＣ」を開始することができる移動通信方法及び無線基地局を提供することを目的とする。
【課題を解決するための手段】
【０００６】
本発明の第１の特徴は、移動局が、通信中の第１セルを管理する第１無線基地局に対して、周辺セルの下りリンクにおける無線品質の測定結果を含む測定報告を送信する工程Ａと、前記第１無線基地局が、前記測定報告に基づいて、前記周辺セルの中から第２セルを選択する工程Ｂと、前記第１無線基地局が、前記第２セルを管理する第２無線基地局に対して、前記移動局に対する下り方向の干渉の影響が強い旨を示す干渉指示情報を送信する工程Ｃとを有することを要旨とする。
【０００７】
本発明の第２の特徴は、移動局が通信中のセルを管理する無線基地局であって、前記移動局から、周辺セルの下りリンクにおける無線品質の測定結果を含む測定報告を受信するように構成されている測定報告受信部と、前記測定報告に基づいて、前記周辺セルの中から特定セルを選択するように構成されている選択部と、前記特定セルを管理する特定無線基地局に対して、前記移動局に対する下り方向の干渉の影響が強い旨を示す干渉指示情報を送信するように構成されている干渉指示情報送信部を具備することを要旨とする。
【発明の効果】
【０００８】
以上説明したように、本発明によれば、適切なタイミングで「ｅＩＣＩＣ」を開始することができる移動通信方法及び無線基地局を提供することができる。
【図面の簡単な説明】
【０００９】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムで用いられる「Ｘ２  Ｌｏａｄ  Ｉｎｆｏｒｍａｔｉｏｎ」のフォーマットの一例を示す図である。
【図４】本発明の第１の実施形態に係る移動通信システムで用いられる「ｅＮＢ  Ｃｏｎｆｉｇｕｒａｔｉｏｎ  Ｕｐｄａｔｅ」のフォーマットの一例を示す図である。
【図５】本発明の第１の実施形態に係る移動通信システムで用いられる「ｅＮＢ  Ｃｏｎｆｉｇｕｒａｔｉｏｎ  Ｕｐｄａｔｅ」等に含まれる情報要素「Ｓｅｒｖｅｄ  Ｃｅｌｌ  Ｉｎｆｏｒｍａｔｉｏｎ」のフォーマットの一例を示す図である。
【図６】本発明の第１の実施形態に係る移動通信システムで用いられる「Ｘ２  Ｓｅｔｕｐ  Ｒｅｑｕｅｓｔ」のフォーマットの一例を示す図である。
【図７】本発明の第１の実施形態に係る移動通信システムで用いられる「Ｘ２  Ｓｅｔｕｐ  Ｒｅｓｐｏｎｓｅ」のフォーマットの一例を示す図である。
【図８】本発明の第１の実施形態に係る移動通信システムの動作を示すシーケンス図である。
【発明を実施するための形態】
【００１０】
（本発明の第１の実施形態に係る移動通信システム）
図１乃至図８を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１１】
本実施形態に係る移動通信システムでは、「Ｔｉｍｅ  ｄｏｍａｉｎ  ｓｃｈｅｍｅ」を用いた「ｅＩＣＩＣ」を行うことができるように構成されている。
【００１２】
図１に示すように、本実施形態に係る移動通信システムは、セル＃１を管理する無線基地局ｅＮＢ＃１と、セル＃２を管理する無線基地局ｅＮＢ＃２と、セル＃３を管理する無線基地局ｅＮＢ＃３と、セル＃４を管理する無線基地局ｅＮＢ＃４とを具備している。
【００１３】
ここで、セル＃１〜＃４は、マクロセルであってもよいし、ＣＳＧ（Ｃｌｏｓｅｄ  Ｓｕｂｓｃｒｉｂｅｒ  Ｇｒｏｕｐ）セルであってもよい。なお、ＣＳＧセルは、フェムト（Ｆｅｍｔｏ）セルやマイクロ（Ｍｉｃｒｏ）セルやピコ（Ｐｉｃｏ）セル等と呼ばれてもよい。
【００１４】
本実施形態に係る移動通信システムでは、移動局ＵＥは、セル＃１においてＣｏｎｎｅｃｔｅｄ状態である、すなわち、セル＃１において通信中であるものとする。
【００１５】
図２に示すように、無線基地局ｅＮＢ＃１は、無線インターフェイス１１と、選択部１２と、Ｘ２インターフェイス１３と、スケジューリング部１４とを具備している。
【００１６】
無線インターフェイス１１は、ＲＲＣ（Ｒａｄｉｏ  Ｒｅｓｏｕｒｃｅ  Ｃｏｎｔｒｏｌ）コネクションを介して、移動局ＵＥとの間で、無線通信を行うように構成されている。
【００１７】
例えば、無線インターフェイス１１は、移動局ＵＥから、周辺セル＃２〜＃４の下りリンクにおける無線品質の測定結果を含む「Ｍｅａｓｕｒｅｍｅｎｔ  Ｒｅｐｏｒｔ」を受信するように構成されている。
【００１８】
選択部１２は、「Ｍｅａｓｕｒｅｍｅｎｔ  Ｒｅｐｏｒｔ」に基づいて、すなわち、「Ｍｅａｓｕｒｅｍｅｎｔ  Ｒｅｐｏｒｔ」に含まれる測定結果に基づいて、周辺セル＃２〜＃４の中から、特定セル（例えば、セル＃２）を選択するように構成されている。
【００１９】
例えば、選択部１２は、周辺セル＃２〜＃４の中から、下りリンクにおける無線品質の最も悪いセルや、下りリンクにおける無線品質が所定無線品質よりも悪いセルを、かかる特定セルとして選択するように構成されていてもよい。
【００２０】
Ｘ２インターフェイス１３は、周辺セル＃２〜＃４との間のインターフェイスとして機能するように構成されている。
【００２１】
ここで、Ｘ２インターフェイス１３は、特定セルを管理する特定無線基地局ｅＮＢ（例えば、無線基地局ｅＮｂ＃２）に対して、「ＤＬ  ＨＩ（Ｈｉｇｈ  Ｉｎｔｅｒｆｅｒｅｎｃｅ）  Ｉｎｄｉｃａｔｉｏｎ」を送信するように構成されている。
【００２２】
ここで、「ＤＬ  ＨＩ  Ｉｎｄｉｃａｔｉｏｎ」は、移動局ＵＥに対する下り方向の干渉の影響が強い旨を示す情報である。
【００２３】
例えば、Ｘ２インターフェイス１３は、「Ｘ２  Ｌｏａｄ  Ｉｎｆｏｒｍａｔｉｏｎ」によって、「ＤＬ  ＨＩ  Ｉｎｄｉｃａｔｉｏｎ」を送信するように構成されていてもよい。
【００２４】
具体的には、図３に示すように、Ｘ２インターフェイス１３は、「Ｘ２  Ｌｏａｄ  Ｉｎｆｏｒｍａｔｉｏｎ」内の情報要素「Ｃｅｌｌ  Ｉｎｆｏｒｍａｔｉｏｎ」内で、「ＤＬ  ＨＩ  Ｉｎｄｉｃａｔｉｏｎ」を送信するように構成されていてもよい。
【００２５】
また、Ｘ２インターフェイス１３は、「ｅＮＢ  Ｃｏｎｆｉｇｕｒａｔｉｏｎ  Ｕｐｄａｔｅ」によって、「ＤＬ  ＨＩ  Ｉｎｄｉｃａｔｉｏｎ」を送信するように構成されていてもよい。
【００２６】
具体的には、図４及び図５に示すように、Ｘ２インターフェイス１３は、「ｅＮＢ  Ｃｏｎｆｉｇｕｒａｔｉｏｎ  Ｕｐｄａｔｅ」内の情報要素「Ｓｅｒｖｅｄ  Ｃｅｌｌ  Ｉｎｆｏｒｍａｔｉｏｎ」内で、「ＤＬ  ＨＩ  Ｉｎｄｉｃａｔｉｏｎ」を送信するように構成されていてもよい。
【００２７】
さらに、Ｘ２インターフェイス１３は、「Ｘ２  Ｓｅｔｕｐ  Ｒｅｑｕｅｓｔ」によって、「ＤＬ  ＨＩ  Ｉｎｄｉｃａｔｉｏｎ」を送信するように構成されていてもよい。
【００２８】
具体的には、図５及び図６に示すように、Ｘ２インターフェイス１３は、「Ｘ２  Ｓｅｔｕｐ  Ｒｅｑｕｅｓｔ」内の情報要素「Ｓｅｒｖｅｄ  Ｃｅｌｌ  Ｉｎｆｏｒｍａｔｉｏｎ」内で、「ＤＬ  ＨＩ  Ｉｎｄｉｃａｔｉｏｎ」を送信するように構成されていてもよい。
【００２９】
或いは、Ｘ２インターフェイス１３は、「Ｘ２  Ｓｅｔｕｐ  Ｒｅｓｐｏｎｓｅ」によって、「ＤＬ  ＨＩ  Ｉｎｄｉｃａｔｉｏｎ」を送信するように構成されていてもよい。
【００３０】
具体的には、図５及び図７に示すように、Ｘ２インターフェイス１３は、「Ｘ２  Ｓｅｔｕｐ  Ｒｅｓｐｏｎｓｅ」内の情報要素「Ｓｅｒｖｅｄ  Ｃｅｌｌ  Ｉｎｆｏｒｍａｔｉｏｎ」内で、「ＤＬ  ＨＩ  Ｉｎｄｉｃａｔｉｏｎ」を送信するように構成されていてもよい。
【００３１】
スケジューリング部１４は、Ｘ２インターフェイス１３によって無線基地局ｅＮｂ＃２から受信したサブフレームパターンに基づいて、移動局ＵＥに対する下りリンクにおけるスケジューリングを行うように構成されている。
【００３２】
ここで、かかるサブフレームパターンは、下りデータを送信しないサブフレーム、例えば、ＡＢＳ（Ａｌｍｏｓｔ  Ｂｌａｎｋ  Ｓｕｂｆｒａｍｅ）やＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームを示す。
【００３３】
例えば、スケジューリング部１４は、サブフレームパターンで指定されたＡＢＳやＭＢＳＦＮサブフレームにおいて、移動局ＵＥに対する下りリンクにおけるスケジューリングを行うように構成されていてもよい。
【００３４】
以下、図８を参照して、本実施形態に係る移動通信システムの動作について説明する。
【００３５】
図８に示すように、ステップＳ１００１において、移動局ＵＥは、通信中のセル＃１を管理する無線基地局ｅＮＢ＃１に対して、周辺セル＃２〜＃４の下りリンクにおける無線品質の測定結果を含む「Ｍｅａｓｕｒｅｍｅｎｔ  Ｒｅｐｏｒｔ」を送信する。
【００３６】
ステップＳ１００２において、無線基地局ｅＮＢ＃１は、「Ｍｅａｓｕｒｅｍｅｎｔ  Ｒｅｐｏｒｔ」に含まれる測定結果に基づいて、周辺セル＃２〜＃４の中から、特定セルとして、セル＃２を選択する。
【００３７】
ステップＳ１００３において、無線基地局ｅＮＢ＃１は、セル＃２を管理する無線基地局ｅＮＢ＃２に対して、「ＤＬ  ＨＩ  Ｉｎｄｉｃａｔｉｏｎ」を送信する。
【００３８】
ステップＳ１００４において、無線基地局ｅＮＢ＃２は、「ＤＬ  ＨＩ  Ｉｎｄｉｃａｔｉｏｎ」に応じて、「Ｔｉｍｅ  ｄｏｍａｉｎ  ｓｃｈｅｍｅ」を用いた「ｅＩＣＩＣ」を起動し、下りデータを送信しないサブフレームであるＡＢＳやＭＢＳＦＮサブフレームを設定する。
【００３９】
なお、無線基地局ｅＮＢ＃２は、「ＤＬ  ＨＩ  Ｉｎｄｉｃａｔｉｏｎ」を受信した場合であっても、下りデータを送信しないサブフレームであるＡＢＳやＭＢＳＦＮサブフレームを設定しなくてもよい。
【００４０】
ステップＳ１００５において、無線基地局ｅＮＢ＃２は、無線基地局ｅＮＢ＃１に対して、設定した下りデータを送信しないサブフレームを示すサブフレームパターンを送信する。
【００４１】
ステップＳ１００６において、無線基地局ｅＮＢ＃１は、サブフレームパターンに基づいて、移動局ＵＥに対する下りリンクにおけるスケジューリングを行う。
【００４２】
本実施形態に係る移動通信システムによれば、無線基地局ｅＮＢ＃２が、無線基地局ｅＮＢ＃１から、移動局ＵＥに対する下り方向の干渉の影響が強い旨を示す「ＤＬ  ＨＩ  Ｉｎｄｉｃａｔｉｏｎ」を受信した場合に、「Ｔｉｍｅ  ｄｏｍａｉｎ  ｓｃｈｅｍｅ」を用いた「ｅＩＣＩＣ」を起動する用に構成されているで、適切に「ｅＩＣＩＣ」を起動することができる。
【００４３】
以上に述べた本実施形態の特徴は、以下のように表現されていてもよい。
【００４４】
本実施形態の第１の特徴は、移動局ＵＥが、通信中のセル＃１（第１セル）を管理する無線基地局ｅＮＢ＃１（第１無線基地局）に対して、周辺セル＃２〜＃４の下りリンクにおける無線品質の測定結果を含む「Ｍｅａｓｕｒｅｍｅｎｔ  Ｒｅｐｏｒｔ（測定報告）」を送信する工程Ａと、無線基地局ｅＮＢ＃１が、「Ｍｅａｓｕｒｅｍｅｎｔ  Ｒｅｐｏｒｔ」に基づいて、周辺セル＃２〜＃４の中からセル＃２（第２セル）を選択する工程Ｂと、無線基地局ｅＮＢ＃１が、セル＃２を管理する無線基地局ｅＮＢ＃２（第２無線基地局）に対して、移動局ＵＥに対する下り方向の干渉の影響が強い旨を示す「ＤＬ  ＨＩ  Ｉｎｄｉｃａｔｉｏｎ（干渉指示情報）」を送信する工程Ｃとを有することを要旨とする。
【００４５】
本実施形態の第１の特徴において、無線基地局ｅＮＢ＃２が、「ＤＬ  ＨＩ  Ｉｎｄｉｃａｔｉｏｎ」に応じて、無線基地局ｅＮＢ＃１に対して、下りデータを送信しないサブフレーム（ＡＢＳ/ＭＢＳＦＮサブフレーム）を示すサブフレームパターン（サブフレーム情報）を送信する工程を更に有してもよい。
【００４６】
本実施形態の第１の特徴において、工程Ｃにおいて、無線基地局ｅＮＢ＃１は、「Ｘ２  Ｌｏａｄ  Ｉｎｆｏｒｍａｔｉｏｎ（負荷情報）」によって、「ＤＬ  ＨＩ  Ｉｎｄｉｃａｔｉｏｎ」を送信してもよい。
【００４７】
本実施形態の第１の特徴において、工程Ｃにおいて、無線基地局ｅＮＢ＃１は、「ｅＮＢ  Ｃｏｎｆｉｇｕｒａｔｉｏｎ  Ｕｐｄａｔｅ（無線基地局の構成の更新情報）」によって、「ＤＬ  ＨＩ  Ｉｎｄｉｃａｔｉｏｎ」を送信してもよい。
【００４８】
本実施形態の第１の特徴において、工程Ｃにおいて、無線基地局ｅＮＢ＃１は、無線基地局ｅＮＢ＃１と無線基地局ｅＮＢ＃２との間のＸ２コネクションの設定に係る情報「Ｘ２  Ｓｅｔｕｐ  Ｒｅｑｕｅｓｔ/Ｘ２  Ｓｅｔｕｐ  Ｒｅｓｐｏｎｓｅ」によって、「ＤＬ  ＨＩ  Ｉｎｄｉｃａｔｉｏｎ」を送信してもよい。
【００４９】
本実施形態の第２の特徴は、移動局ＵＥが通信中のセル＃１を管理する無線基地局ｅＮＢであって、移動局ＵＥから、周辺セル＃２〜＃４の下りリンクにおける無線品質の測定結果を含む「Ｍｅａｓｕｒｅｍｅｎｔ  Ｒｅｐｏｒｔ」を受信するように構成されている無線インターフェイス１１（測定報告受信部）と、「Ｍｅａｓｕｒｅｍｅｎｔ  Ｒｅｐｏｒｔ」に基づいて、周辺セル＃２〜＃４の中からセル＃２（特定セル）を選択するように構成されている選択部１２と、セル＃２を管理する無線基地局ｅＮＢ＃２（特定無線基地局）に対して、「ＤＬ  ＨＩ  Ｉｎｄｉｃａｔｉｏｎ」を送信するように構成されているＸ２インターフェイス１３（干渉指示情報送信部）を具備することを要旨とする。
【００５０】
本実施形態の第２の特徴において、無線基地局ｅＮＢ＃２から、下りデータを送信しないサブフレーム（ＡＢＳ/ＭＢＳＦＮサブフレーム）を示すサブフレームパターンを受信した場合、かかるサブフレームパターンに基づいて、移動局ＵＥに対する下りリンクにおけるスケジューリングを行うように構成されているスケジューリング部１４を更に具備してもよい。
【００５１】
本実施形態の第２の特徴において、Ｘ２インターフェイス１３は、「Ｘ２  Ｌｏａｄ  Ｉｎｆｏｒｍａｔｉｏｎ」によって、「ＤＬ  ＨＩ  Ｉｎｄｉｃａｔｉｏｎ」を送信するように構成されていてもよい。
【００５２】
本実施形態の第２の特徴において、Ｘ２インターフェイス１３は、「ｅＮＢ  Ｃｏｎｆｉｇｕｒａｔｉｏｎ  Ｕｐｄａｔｅ」によって、「ＤＬ  ＨＩ  Ｉｎｄｉｃａｔｉｏｎ」を送信するように構成されていてもよい。
【００５３】
本実施形態の第２の特徴において、Ｘ２インターフェイス１３は、「Ｘ２  Ｓｅｔｕｐ  Ｒｅｑｕｅｓｔ/Ｘ２  Ｓｅｔｕｐ  Ｒｅｓｐｏｎｓｅ」によって、「ＤＬ  ＨＩ  Ｉｎｄｉｃａｔｉｏｎ」を送信するように構成されていてもよい。
【００５４】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００５５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００５７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５８】
ｅＮＢ…無線基地局
１１…無線インターフェイス
１２…選択部
１３…Ｘ２インターフェイス
１４…スケジューリング部
ＵＥ…移動局
【図１】
2012105176.tif 000003
【図２】
2012105176.tif 000004
【図３】
2012105176.tif 000005
【図４】
2012105176.tif 000006
【図５】
2012105176.tif 000007
【図６】
2012105176.tif 000008
【図７】
2012105176.tif 000009
【図８】
2012105176.tif 000010
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
移動局が、通信中の第１セルを管理する第１無線基地局に対して、周辺セルの下りリンクにおける無線品質の測定結果を含む測定報告を送信する工程Ａと、
前記第１無線基地局が、前記測定報告に基づいて、前記周辺セルの中から第２セルを選択する工程Ｂと、
前記第１無線基地局が、前記第２セルを管理する第２無線基地局に対して、干渉指示情報を送信する工程Ｃと、
前記第２無線基地局が、前記干渉指示情報に応じて、前記第１無線基地局に対して、ＡＢＳを示すサブフレーム情報を送信する工程Ｄとを更に有することを特徴とする移動通信方法。
【請求項２】
前記工程Ｃにおいて、前記第１無線基地局は、負荷情報によって、前記干渉指示情報を送信することを特徴とする請求項１に記載の移動通信方法。
【請求項３】
前記工程Ｃにおいて、前記第１無線基地局は、該第１無線基地局の構成の更新情報によって、前記干渉指示情報を送信することを特徴とする請求項１に記載の移動通信方法。
【請求項４】
前記工程Ｃにおいて、前記第１無線基地局は、該第１無線基地局と前記第２無線基地局との間のコネクションの設定に係る情報によって、前記干渉指示情報を送信することを特徴とする請求項１に記載の移動通信方法。
【請求項５】
移動局が通信中のセルを管理する無線基地局であって、
前記移動局から、周辺セルの下りリンクにおける無線品質の測定結果を含む測定報告を受信するように構成されている測定報告受信部と、
前記測定報告に基づいて、前記周辺セルの中から特定セルを選択するように構成されている選択部と、
前記特定セルを管理する特定無線基地局に対して、干渉指示情報を送信するように構成されている干渉指示情報送信部と、
前記特定無線基地局から、ＡＢＳを示すサブフレーム情報を受信した場合、該サブフレーム情報に基づいて、前記移動局に対する下りリンクにおけるスケジューリングを行うように構成されているスケジューリング部を更に具備することを特徴とする無線基地局。
【請求項６】
前記干渉指示情報送信部は、負荷情報によって、前記干渉指示情報を送信するように構成されていることを特徴とする請求項５に記載の無線基地局。
【請求項７】
前記干渉指示情報送信部は、前記無線基地局の構成の更新情報によって、前記干渉指示情報を送信するように構成されていることを特徴とする請求項５に記載の無線基地局。
【請求項８】
前記干渉指示情報送信部は、前記無線基地局と前記特定無線基地局との間のコネクションの設定に係る情報によって、前記干渉指示情報を送信するように構成されていることを特徴とする請求項５に記載の無線基地局。